(57)【要約】  【課題】  筐体の開口に対する開閉操作性と気密性を確保しつつ、外観品質や耐久性の向上を図り、かつ、記憶媒体の装着のための筐体内の占有スペースを小さくすることのできるカバー部品と、電子機器を提供する。  【解決手段】  筐体の外表面側に配置される外側カバー部材１８と、外側カバー部材１８よりも弾性率の小さい材料から成る内側カバー部材１９とで、筐体の開口を閉塞するカバー部品９を構成する。内側カバー部材１９に、メモリカードの端部を収容可能な切欠孔２７を形成する。外側カバー部材１８に裏面方向に突出しその付根部側に貫通孔２２を有する板状突起２１を設ける。内側カバー部材１９に、外側カバー部材１８の外側縁部方向に延出して、板状突起２１の貫通孔２２に嵌合される支持片２８を設ける。支持片２８の先端に、筐体の開口の縁部に係合可能な係止爪２９を形成する。  【選択図】        図１
2006203414.tif 000002
【特許請求の範囲】
【請求項１】
記憶媒体を脱着可能に装着する媒体コネクタを備えた電子機器に用いられ、この電子機器の筐体に設けられた記憶媒体脱着用の開口に開閉可能に取り付けられる電子機器のカバー部品において、
前記筐体の外表面側に配置される外側カバー部材と、
この外側カバー部材の裏面側に結合され、この外側カバー部材よりも弾性率の小さい材料から成る内側カバー部材と、を設け、
前記内側カバー部材のうちの、前記媒体コネクタに装着された記憶媒体の端部に対向する位置に記憶媒体の一部を収容可能な切欠きを形成したことを特徴とする電子機器のカバー部品。
【請求項２】
記憶媒体を脱着可能に装着する媒体コネクタを備え、筐体の記憶媒体脱着用の開口にカバー部品が開閉可能に取り付けられた電子機器において、
前記カバー部品を、
前記筐体の外表面側に配置される外側カバー部材と、
この外側カバー部材の裏面側に結合され、この外側カバー部材よりも弾性率の小さい材料から成る内側カバー部材と、を備えた構成にし、
前記内側カバー部材のうちの、前記媒体コネクタに装着された記憶媒体の端部に対向する位置に記憶媒体の一部を収容可能な切欠きを形成したことを特徴とする電子機器。
【請求項３】
記憶媒体を脱着可能に装着する媒体コネクタを備えた電子機器に用いられ、この電子機器の筐体に設けられた記憶媒体脱着用の開口に開閉可能に取り付けられる電子機器のカバー部品において、
前記筐体の外表面側に配置される外側カバー部材と、
この外側カバー部材の裏面側に結合され、この外側カバー部材よりも弾性率の小さい材料から成る内側カバー部材と、を設け、
前記外側カバー部材に裏面方向に突出しその付根部側に部材係止用の切欠係止部を有する突起を設け、
前記内側カバー部材に、外側カバー部材の外側縁部方向に延出して、前記突起の切欠係止部に係止される支持片を設けると共に、この支持片の先端に、前記筐体の開口の縁部に係合可能な係止爪を形成したことを特徴とする電子機器のカバー部品。
【請求項４】
前記外側カバー部材の裏面側に連結用のボス部を形成すると共に、前記内側カバー部材のこのボス部に対応する位置に貫通孔を形成し、この貫通孔に挿通した前記ボス部の先端を変形させることによって前記外側カバー部材と内側カバー部材の連結部を形成したことを特徴とする請求項３に記載の電子機器のカバー部品。
【請求項５】
前記連結部の頂面を、前記内側カバー部材の前面と前記外側カバー部材の突起よりも低く形成したことを特徴とする請求項４に記載の電子機器のカバー部品。
【請求項６】
前記外側カバー部材の突起の先端部を、前記筐体の開口内に形成された壁に当接させることを特徴とする請求項３〜５のいずれかに記載の電子機器のカバー部品。
【請求項７】
記憶媒体を脱着可能に装着する媒体コネクタを備え、筐体の記憶媒体脱着用の開口にカバー部品が開閉可能に取り付けられた電子機器において、
前記カバー部品を、
前記筐体の外表面側に配置される外側カバー部材と、
この外側カバー部材の裏面側に結合され、この外側カバー部材よりも弾性率の小さい材料から成る内側カバー部材と、を備えた構成にし、
前記外側カバー部材に裏面方向に突出しその付根部側に部材係止用の切欠係止部を有する突起を設け、
前記内側カバー部材に、外側カバー部材の外側縁部方向に延出して、前記突起の切欠係止部に係止される支持片を設けると共に、この支持片の先端に、前記筐体の開口の縁部に係合可能な係止爪を形成したことを特徴とする電子機器。
【請求項８】
請求項６に記載のカバー部品を備えた電子機器であって、
前記筐体の媒体コネクタ前面の開口内に、筐体の内側方向に窪み、その窪み部の前面に前記外側カバー部材の突起の先端部が当接する凹状壁を形成し、
前記筐体の内側の、この凹状壁の両縁部分に内装部品の係止用の膨出部を配置したことを特徴とする電子機器。
【発明の詳細な説明】
【技術分野】
【０００１】
この発明は、電子機器の筐体の記憶媒体挿入用の開口に取り付けられるカバー部品と、このカバー部品を用いる携帯電話機、ＰＤＡ（Personal Digital Assistants）、デジタルカメラ、デジタルビデオカメラ、パーソナルコンピュータ等の電子機器に関する。
【背景技術】
【０００２】
携帯端末等の電子機器においては、撮影や受信等で取り扱う情報量が増大するに伴い、メモリカード等の脱着可能な記憶媒体を利用できる機種が多くなっている。
この種の電子機器は、記憶媒体を脱着可能に装着するために媒体コネクタを備えると共に、筐体に設けられた記憶媒体脱着用の開口にカバー部品が開閉可能に取り付けられている（例えば、特許文献１参照）。
【特許文献１】特開平１０−１９０８０３号公報
【発明の開示】
【発明が解決しようとする課題】
【０００３】
この種のカバー部品は、通常、弾性を有する単一の樹脂部材によって形成され、筐体の開口に対する容易な開閉と確実な密閉を両立し得るようになっている。
ところで、カバー部品には、筐体の開口内に位置されるシール部の経時劣化の防止と、筐体外部に露出する外側面の質感の向上が望まれており、現在、これらの要望を満たすカバー部材の材料選定が難しいというのが実情である。
【０００４】
また、記憶媒体を装着するための媒体コネクタを備えた電子機器の場合、筐体の内外のスペースが媒体コネクタやカバー部品によって占有されることになるため、電子機器の小型化を図るうえでは、記憶媒体の装着のための占有スペースをできる限り小さくすることが望まれている。
【課題を解決するための手段】
【０００５】
上記の課題を解決するために、この出願の発明は、記憶媒体を脱着可能に装着する媒体コネクタを備えた電子機器に用いられ、この電子機器の筐体に設けられた媒体脱着用の開口に開閉可能に取り付けられる電子機器のカバー部品において、前記筐体の外表面側に配置される外側カバー部材と、この外側カバー部材の裏面側に結合され、この外側カバー部材よりも弾性率の小さい材料から成る内側カバー部材と、を設け、前記内側カバー部材のうちの、前記媒体コネクタに装着された記憶媒体の端部に対向する位置に記憶媒体の一部を収容可能な切欠きを形成したことを特徴とする。
【０００６】
この出願の他の発明は、記憶媒体を脱着可能に装着する媒体コネクタを備えた電子機器に用いられ、この電子機器の筐体に設けられた記憶媒体脱着用の開口に開閉可能に取り付けられる電子機器のカバー部品において、前記筐体の外表面側に配置される外側カバー部材と、この外側カバー部材の裏面側に結合され、この外側カバー部材よりも弾性率の小さい材料から成る内側カバー部材と、を設け、前記外側カバー部材に裏面方向に突出しその付根部側に部材係止用の切欠係止部を有する突起を設け、前記内側カバー部材に、外側カバー部材の外側縁部方向に延出して、前記突起の切欠係止部に係止される支持片を設けると共に、この支持片の先端に、前記筐体の開口の縁部に係合可能な係止爪を形成したことを特徴とする。
【０００７】
前記外側カバー部材の裏面側に連結用のボス部を形成すると共に、前記内側カバー部材のこのボス部に対応する位置に貫通孔を形成し、この貫通孔に挿通した前記ボス部の先端を変形させることによって前記外側カバー部材と内側カバー部材の連結部を形成することが望ましい。
この場合、連結部の頂面は、前記内側カバー部材の前面と前記外側カバー部材の突起よりも低く形成することが好ましい。また、外側カバー部材の突起の先端部は、前記筐体の開口内に形成された壁に当接させるようにしても良い。
【０００８】
さらに、カバー部品を備えた電子機器の発明は、筐体の媒体コネクタ前面の開口内に、筐体の内側方向に窪み、その窪み部の前面にカバー部品の外側カバー部材の突起の先端部が当接する凹状壁を形成し、筐体の内側の、この凹状壁の両縁部分に内装部品の係止用の膨出部を配置したことを特徴とする。
【発明の効果】
【０００９】
この出願の発明は、筐体外表面側に配置される外側カバー部材の裏面側に、外側カバー部材よりも弾性率の小さい材料から成る内側カバー部材を結合しているため、弾性率の小さい内側カバー部材によって筐体の開口に対する開閉操作性と気密性を確保しつつ、それよりも弾性率の高い外側カバー部材によって外観品質や耐久性の向上を図ることができるという、基本的な効果を奏する。
さらに、この出願の一つの発明は、内側カバー部材のうちの、媒体コネクタに装着された記憶媒体の端部に対向する位置に記憶媒体の一部を収容可能な切欠きを形成するようにしたため、筐体内における記憶媒体の配置を開口のより前方寄りにし、記憶媒体の装着のための筐体内の占有スペースを小さくすることができる。したがって、筐体内部の他部品の配置の自由度が高まり、装置の小型化を図るうえで有利となる。
【００１０】
また、この出願の他の発明は、外側カバー部材の裏面側に突設された突起の切欠係止部に、先端に係止爪を有する内側カバー部材の支持片を係止させるため、内側カバー部材に外側カバー部材との結合のための専用の大きな結合スペースを確保することなく、内側カバー部材を外側カバー部材に確実に結合することができる、というさらなる効果を奏する。したがって、この発明の場合も、カバー部品が筐体側のスペースを圧迫しないため、記憶媒体の装着のための筐体内の占有スペースをより小さくすることができる。また、筐体の開口縁部に係止される係止爪は、その付根部側を外側カバー部材の突起に支持されるため、外側カバー部材の浮き上がりを確実に防止することができる。
【００１１】
さらに、外側カバー部材の裏面側に連結用のボス部を形成し、内側カバー部材の貫通孔に挿通したボス部の先端を変形させることによって外側カバー部材と内側カバー部材の連結部を形成するようにした場合には、前記突起と支持片との係止と相俟って外側カバー部材と内側カバー部材をより確実に結合することができる。
また、さらに連結部の頂面を内側カバー部材の前面と外側カバー部材の突起よりも低く形成した場合には、連結部と筐体の干渉を無くすことができる。
【００１２】
また、この出願の電子機器の発明は、筐体の開口内に凹状壁を形成したために、記憶媒体の装着時に凹状壁の窪み部分で記憶媒体を容易に押し込むことができると共に、外側カバー部材の突起の先端を凹状壁の窪み部前面に当接させたことから、カバー部品の開口内側方向への凹状変形や過大な潜り込みを防止でき、さらに、筐体の内側においては、凹状壁の両縁部分を利用して内装部品の膨出部を配置したことから、内装部品を筐体内に効率良くコンパクトに配置することができる。
【発明を実施するための最良の形態】
【００１３】
以下、この発明の一実施形態を、図１〜図５を参照して説明する。なお、この実施形態は、電子機器の一例として携帯電話機を採用したものである。
【００１４】
この実施形態の携帯電話機は、図２に示すように第１の筐体１（この発明における筐体）と、この第１の筐体１の厚み方向に重ね合わせ可能な第２の筐体２と、これら２つの筐体１，２の端部相互を折り畳み自在に連結するヒンジ部３とを備えている。
【００１５】
第１の筐体１の上面（第２の筐体２との重ね合わせ面側）には、通話キー、終話キー、数字キー等の押圧操作可能な複数の操作キー４を備えたキー操作部５が設けられると共に、ヒンジ部３と逆側の端部の近傍に送話用のマイクロフォン部６が設けられている。また、第1の筐体１の一方の側面には、機能の切換え等に用いられるスライドスイッチ７が配置されると共に、記憶媒体脱着用の開口８が形成され、その開口８がカバー部品９によって閉塞されている。なお、この実施形態では、記憶媒体としてメモリカード１２（図１参照）を採用している。
【００１６】
また、第２の筐体２の重ね合わせ面には、液晶ディスプレイ等の表示部１０が設けられると共に、ヒンジ部３と逆側の端部の近傍に受話用のスピーカ部１１が設けられている。
【００１７】
前記第１の筐体１は、ＡＢＳ樹脂（アクリルニトリル・ブタジエン・スチレン樹脂）やＰＣ樹脂（ポリカーボネート樹脂）等の硬質の樹脂によって形成された半割状のフロントケース１３Ａとリヤケース１３Ｂが結合されて成り、フロントケース１３Ａの上面側に前述のキー操作部５やマイクロフォン部６が配置されている。フロントケース１３Ａにはリヤケース１３Ｂとの合わせ面側から、キー支持用のラバーシート１４（内装部品。図４，図５参照）を含むキー操作部５のユニットが収容されると共に、キー操作に応じた演算や制御を行う回路基板（図示せず）が収容配置されている。
【００１８】
また、フロントケース１３Ａとリヤケース１３Ｂの側面には、両者に跨ってメモリカード脱着用の前記開口８が形成されている。この開口８は、図３に示すようにフロントケース１３Ａとリヤケース１３Ｂのコ字状部が付き合わされて成り、各コ字状部の内側には段差状に窪んでフランジ１５，１６が形成されている。リヤケース１３Ｂ側のフランジ１６の上端中央には切欠き１６ａが形成され、この切欠き１６ａとフロントケース１３Ａ側のフランジ１５の間にメモリカード１２の挿入口が形成されるようになっている。そして、フロントケース１３Ａとリヤケース１３Ｂの間には、第１の筐体１の内側から開口８側に臨むようにメモリカード１２を嵌合接続するためのカードコネクタ１７（媒体コネクタ）が収容配置されている。このカードコネクタ１７のスロット１７ａはリヤケース１３Ｂの切欠き１６ａ位置に合致するようになっている。
【００１９】
フロントケース１３Ａとリヤケース１３Ｂの各フランジ１５，１６のうちの、開口８の長手方向略中央位置はカードコネクタ１７側に台形状に窪んで凹状壁１５ｂ，１６ｂとされている。この凹状壁１５ｂ，１６ｂの窪み部はカードコネクタ１７のスロット１７ａの略中央に位置され、スロット１７ａにメモリカード１２（図１，図５参照）を差し込むときに、そのカード１２の端部中央を容易に押し込めるようになっている。したがって、この構成により、メモリカード１２の中央部を意識的に押すことになるので、メモリカード１２やカードコネクタ１７に無理な力がかかりにくくなる。なお、凹状壁１５ｂ，１６ｂを有するフランジ１５，１６は、フロントケース１３Ａとリヤケース１３Ｂの結合時に相互に重合されて実質的に一体化される。
また、凹状壁１５ｂ，１６ｂの窪み部は、筐体１側のメモリカード１２の挿入口に立体的な奥行きを持たせることができるため、メモリカード１２の脱着時においては、前記凹状壁１５ｂ，１６ｂに指の一部を当接して、前記奥行き部分にまで指を押し込まなければならず、メモリカード１２が不用意に飛び出してきても指に当たるため、脱落を防止するのに寄与することとなる。
【００２０】
一方、カバー部品９は、図１に示すように第１の筐体１の外表面側に配置される外側カバー部材１８と、この外側カバー部材１８の裏面側に結合される別体の内側カバー部材１９とを備え、外側カバー部材１８は、第１の筐体１と同様のＡＢＳ樹脂（アクリルニトリル・ブタジエン・スチレン樹脂）やＰＣ樹脂（ポリカーボネート樹脂）等の硬質樹脂によって形成され、内側カバー部材１９は外側カバー部材１８よりも弾性率の小さいポリエチレン系エラストマー樹脂等の軟質樹脂によって形成されている。
【００２１】
外側カバー部材１８は、第１の筐体１の開口８に沿う長方形状に形成され、外面側が第１の筐体１の外表面に沿うように形成されると共に、裏面側に、複数の柱状のボス部２０と横長の板状突起２１（突起）が一体に形成されている。板状突起２１には長手方向に離間して略長方形状の一対の貫通孔２２（切欠係止部）が形成されている。また、外側カバー部材１８の裏面には、段差部２３が設けられ、この段差部２３の低位面側に内側カバー部材１９が収容配置されるようになっている。
【００２２】
一方、内側カバー部材１９は、外側カバー部材１８よりも幅の狭い長方形状に形成され、その長手方向の一端側に、ヒンジ用の舌片２４が延設されると共に、第１の筐体１の開口８の縁部に係止可能な係止爪２５が形成されている。なお、同様の係止爪２５は、内側カバー部材１９の長手方向の他端と、幅方向の一端（図１中下端）にも形成されている。また、内側カバー部材１９の幅方向の一端側（図１中下側）には、厚み方向に貫通する複数の貫通孔２６がほぼ等間隔に形成されており、幅方向の他端側（図１中上側）には、厚み方向に貫通し内側カバー部材１９の長手方向に沿って延出する長方形状の切欠孔２７（切欠き）が形成されている。貫通孔２６には、外側カバー部材１８の対応するボス部２０が挿入され、その状態においてボス部２０の先端を熱変形させることによって、内側カバー部材１９を外側カバー部材１８に連結する球面フランジ状の連結部３０が形成されている。また、切欠孔２７は、第１の筐体１へのカバー部品９の装着時にカードコネクタ１７のスロット１７ａに対向する位置に設けられ、スロット１７ａに装着したメモリカード１２の手前側の端部を内側の空間部内に収容し得るようになっている。
【００２３】
また、内側カバー部材１９の幅方向の他端部（図１中上端部）には、先端部が外側カバー部材１８の外側縁部方向（図１中上方向）に延出する一対の支持片２８が略Ｌ字状に屈曲して設けられている。これらの支持片２８は板状突起２１の対応する貫通孔２２に嵌入され、それによって内側カバー部材１９の他端側を外側カバー部材１８に拘束するようになっている。したがって、内側カバー部材１９は、外側カバー部材１８の段差部２３内に配置された状態で、図中下端側が複数の連結部３０によって結合され、さらにその状態において図中上端側が支持片２８と貫通孔２２の係合によって拘束されている。このため、両カバー部材１８，１９は、重合面の広い範囲にわたって強固に結合されている。また、貫通孔２２から突出する各支持片２８の先端側には、貫通孔２２の孔縁に係止されるストッパ突起２８ａと、第１の筐体１の開口８の縁部に係止可能な係止爪２９が形成されている。
なお、連結部３０の頭部は内側カバー部材１９の前面や板状突起２１よりも低くなるように設定され、それによって第１の筐体１との干渉が回避されている。
【００２４】
以上のように構成されたカバー部品９は、図４に示すように、ヒンジ用の舌片２４が第１の筐体１の開口８内のスリット３１に嵌合され、舌片２４の先端に形成された肉厚の頭部３２によって抜け止めされている。カバー部品９はこの舌片２４をヒンジにして第1の筐体１の開口８に対して開閉操作される。そして、カバー部材９で開口８を閉塞するときには、カバー部材９の内側部分を開口８に押し込み、内側カバー部材１９の係止爪２５，２９を開口８の縁部に係合させることによってカバー部材９を開口８に固定する。このとき、硬質樹脂から成る板状突起２１の先端部は開口８内の凹状壁１６ｂの窪み部前面に当接する。したがって、カバー部材９が第１の筐体１の外側から強く押し込まれたときにあっても、板状突起２１と凹状壁１６ｂの当接によってカバー部材９の窪み変形や開口８内への過大な潜り込みを防止することができる。
【００２５】
また、メモリカード１２を装着するときには、係止爪２５，２９を弾性変形させカバー部品９を引き出すことによって開口８を開き、その開口８を通してカードコネクタ１７のスロット１７ａにメモリカード１２を押し込み入れる。そして、メモリカード１２の装着後には、カバー部品９の係止爪２５，２９を再度開口８の縁部に係合することによって開口８をカバー部品９によって閉塞する。こうして、開口８が閉じられると、メモリカード１２の手前側の端部が内側カバー部材１９の切欠孔２７内に収容され得るようになる。
【００２６】
また、フロントケース１３Ａには、図４，図５に示すようにキー操作部５のラバーシート１４が収容されるが、このラバーシート１４の側部には円弧状に膨出する膨出部３３が設けられ、この膨出部３３がフロントケース１３Ａ内の係止突起３４に係止されるようになっている。この係止突起３４は、フロントケース１３Ａ内の凹状壁１５の両縁部に臨む位置に配置され、ラバーシート１４の膨出部３３は、凹状壁１５の両縁部分のケース内側から見たときの窪み空間に収容されるようになっている。したがって、この携帯電話機の場合、第１の筐体１の内部の凹状壁１５の両縁部分を有効利用することができるため、内装部品であるラバーシート１４を効率良く収容配置することができる。
【００２７】
この実施形態のカバー部品９は、以上説明したように硬質樹脂から成る外側カバー部材１８と、その外側カバー部材１８よりも弾性率の小さい内側カバー部材１９を結合した基本構造であることから、内側カバー部材１９によってカバー部品９の開閉操作性と機密性を確保しつつ、外側カバー部材１８によって概観品質の維持と耐久性の向上を図ることができる。即ち、外側カバー部材１８によって第１の筐体１との材質感の差異を無くし、さらに、開閉操作性や密閉性に関係する内側カバー部材１９の外側を外側カバー部材１８で覆ったことによって内側カバー部材１９の経時劣化を確実に防止することができる。
【００２８】
また、この携帯電話機の場合、カバー部品９の内側カバー部材１９には、メモリカード１２の手前側端部を収容可能な切欠孔２７が形成されているため、メモリカード１２の収容位置を開口８のより前方寄りに配置することができる。したがって、この携帯電話機は、第１の筐体１内におけるメモリカード１２の装着のための占有スペースをより小さくして、他部品の配置の自由度を高めることができると共に、携帯電話機自体の小型化を図ることもできる。
なお、この実施形態では、内側カバー部材１９に厚み方向に貫通する切欠孔２７を形成したが、これは必ずしも貫通する孔である必要はなく、凹状に窪んだ切欠きであっても良い。
【００２９】
さらに、この実施形態のカバー部品９は、外側カバー部材１８の板状突起２１に形成された貫通孔２２に、内側カバー部材１９の支持片２８を嵌合することによって内側カバー部材１９の端部を外側カバー部材１８に係止するようになっているため、内側カバー部材１９と外側カバー部材１８の間に専用の大きな結合スペースを確保することなく、両カバー部材１８，１９を強固に結合することができる。つまり、例えば、図１中の切欠孔２７の上部側に下部側と同様の結合部３０を配置した場合には、カバー部品９自体が大型化してしまうが、前述のように支持片２８と貫通孔２２の嵌合によって両カバー部材１８，１９の上部側を結合するようにした場合には、カバー部品９の大型化を回避することができる。したがって、カバー部品９が第１の筐体１側のスペースを圧迫しなくなることから、筐体１側のさらなる部品配置の自由度の向上と小型化を図ることができる。
【００３０】
特に、図６に示す変形例のようにカバー部品９の上部外面に曲率の大きい湾曲面を持つデザインを採用する場合には、径方向に大きなスペースを占有する連結部３０を両カバー部材１８，１９の上部側結合部に採用することが難しいが、上記の支持片２８と板状突起２１の貫通孔２２による結合を用いることにより、両カバー部材１８，１９を問題なく結合することができる。なお、この場合、板状突起２１の厚みを適宜調整することによってメモリカード等との干渉を確実に回避することができる。
【００３１】
また、支持片２８の先端部に形成される係止爪２９は、その付根部側を板状突起２１によって支持されるため、カバー部品９を開く際等に外側カバー部材１８に引っ張り方向の力が加わった場合にも、外側カバー部材１８の浮き上がりを確実に防止することができる。
【００３２】
なお、この発明は上記の実施形態に限定されるものではなく、その要旨を逸脱しない範囲で種々の設計変更が可能である。例えば、この発明にかかるカバー部品を適用する電子機器は携帯電話機に限らず、ＰＤＡ、デジタルカメラ、デジタルビデオカメラ、パーソナルコンピュータ等であっても良い。
また、以上の実施形態では、内側カバー部材１９の支持片２８を係止する突起を板状突起２１によって形成したが、この突起の形状は板状に限らず任意の形状であって良い。さらに、上記の実施形態では、支持片２８を板状突起２１の切欠係止部である貫通孔２２によって係止するようにしているが、この切欠係止部は支持片２８の周囲を拘束し得るものであればＣ字状やコ字状の切欠きであっても良い。
【図面の簡単な説明】
【００３３】
【図１】この発明の一実施形態を示すものであり、携帯電話機（電子機器）に取り付けられるカバー部材を裏面側から見た斜視図。
【図２】同実施形態の電子機器である携帯電話機の斜視図。
【図３】同実施形態の携帯電話機の背面側から見た拡大分解斜視図。
【図４】同実施形態の携帯電話機の背面図。
【図５】同実施形態の携帯電話機のリヤカバーを取り去った状態での部分拡大背面図。
【図６】同実施形態の変形例を示す要部の断面図。
【符号の説明】
【００３４】
１  第１の筐体（筐体）
８  開口
９  カバー部品
１２  メモリカード（記憶媒体）
１４  ラバーシート（内装部品）
１６ｂ  凹状壁
１７  カードコネクタ
１８  外側カバー部材
１９  内側カバー部材
２０  ボス部
２１  板状突起（突起）
２２  貫通孔（切欠係止部）
２７  切欠孔（切欠き）
２８  支持片
２９  係止爪
３０  連結部
３３  膨出部
【図１】
2006203414.tif 000003
【図２】
2006203414.tif 000004
【図３】
2006203414.tif 000005
【図４】
2006203414.tif 000006
【図５】
2006203414.tif 000007
【図６】
2006203414.tif 000008